(57)【特許請求の範囲】
【請求項１】
躯体側に固定される下地枠部と、シャッターカーテンを嵌合案内するガイド部とを、互いの対向面に間口幅方向内外に形成される一対の取付け片同志のうちの一方同志を係止し、他方同志を固定してなるシャッターカーテンのガイドレールにおいて、前記下地枠部の係止側取付け片には、他方側を向いて突出しかつガイド部とは逆の屋内側を向くように傾斜した抜止め片が形成され、ガイド部の係止側取付け片には、前記抜止め片を内嵌して、係止側取付け片同志の抜止めをする傾斜状の抜止め凹部が形成されているシャッターカーテンのガイドレール構造。
【請求項２】
請求項１において、抜止め凹部の溝幅は、抜止め片の肉厚よりも幅広に形成され、下地枠部の係止側取付け片には、抜止め片と抜止め凹部との屋内側面同志が当接した状態で、抜止め凹部の屋外側溝側片に当接して係止姿勢にするための突部が形成されているシャッターカーテンのガイドレール構造。
【請求項３】
請求項２において、突部には、抜止め凹部の開口に抜止め片を内嵌して係止するときにガイド部を係止姿勢側に移動案内する案内面が形成されているシャッターカーテンのガイドレール構造。
【請求項４】
請求項１において、抜止め凹部の溝幅は、抜止め片の肉厚よりも幅広に形成され、抜止め片の先端部には、抜止め片と抜止め凹部との屋内側面同志が当接した状態で、抜止め凹部の屋外側溝側片に当接する突部が形成されているシャッターカーテンのガイドレール構造。
【請求項５】
請求項２、３または４において、ガイド部を下地枠部に係止させる過程で、抜止め片の屋内側面と抜止め凹部とのあいだには、抜止め凹部に抜止め片を内嵌して係止するための取付けスペースが形成されているシャッターカーテンのガイドレール構造。
【請求項６】
請求項１、２、３、４または５において、抜止め凹部を構成する一対の溝側片は、互いに平行状、または開口側ほど溝幅が広くなるように形成されているシャッターカーテンのガイドレール構造。
【発明の詳細な説明】
【０００１】
【発明の属する技術分野】
本発明は、住宅等の建築物の開口部に立設されるシャッターカーテンのガイドレール構造の技術分野に属するものである。
【０００２】
【従来の技術】
一般に、この種シャッターカーテンの両側部を嵌合して移動案内をするガイドレールのなかには、躯体側に固定される下地枠部とガイド部とを、互いの対向面に間口幅方向内外に形成される一対の取付け片同志を、一方の取付け片同志は係止し、他方の取付け片同志は固定するようにして構成したものがある。このようなものにおいて、下地枠部は長尺状のものであるうえ、躯体側に予め固定されているものであるため、ガイド部は下地枠部に対して屋外側から対向させながら取付けできるように構成することが望まれる。そこで、従来では、図９に示すように、下地枠部１１の間口幅方向外側取付け片１１ａの先端部に略半円筒状の係止部１１ｂを突出形成する一方、ガイド部１２の間口幅方向外側取付け片１２ａの先端部に、前記係止部１１ｂに係合する半円筒状の係止受け部１２ｂを形成し、予めガイド部１２を、下地枠部１１の前方から差し込み、かつ間口幅方向内側から外方にスライド移動させることで、係止部１１ｂと係止受け部１２ｂとの係止をせしめ、この後、内側の取付け片１１ｃ、１２ｃ同志を螺子を用いて固定するようにしていた。
ところで、シャッターカーテンの両側縁部にはガイドレールのガイド部からの抜止めをする抜止め部材が取付けられており、全閉状態のシャッターカーテンに強風が吹きつけてシャッターカーテンに対して負圧が作用したような場合では、シャッターカーテンが撓んでガイド部を間口幅方向内側および屋外側方向に向く方向の力が作用することがある。しかるに、前記従来のガイドレールでは、ガイド部１２が間口幅方向内側に引っ張られたとき、ガイド部１２の係止受け部１２ｂは、下地枠部１１の係止部１１ｂとの係合を解除する方向に移動することになって、ガイド部１２ｂが下地枠部１１ｂから抜出してしまう（外れてしまう）惧れがある等の問題がある。
そこで、下地枠部からガイド部が外れないようにすることが提唱され、そのようなものの一例として特開平９−３０３０６７号公報に示すようなものが知られている。このものは、下地枠部側の取付け片に係合凹溝を形成し、該係合凹溝の開口端に屋内外方向を向く係合突片を形成する一方、ガイド部側の取付け片に、前記係合凹溝に内嵌し、屋内外方向を向く係合受け片を形成し、シャッターカーテンの撓みに伴いガイド部が変形したときに、係合受け片が係合突片に係合してガイド部が下地枠部から抜出すのを回避する構成となっている。
【０００３】
【発明が解決しようとする課題】
しかるに、前記従来の係合受け片は、係合凹溝内において屋内外方向所定範囲のあいだで移動自在な状態となっており、シャッターカーテンの撓みに伴いガイド部が変形してから、係合受け片と係合突片とが係合してガイド部の抜止めをする構成となっている。この結果、ガイド部の抜止めについては一応は有効であるものの、ガイド溝部が前記所定範囲での屋内外方向への移動が許容される状態のままであるため、ガイド部がどうしても不安定であって、シャッターカーテンが屋内外方向に振れたときに、この負荷を受けてガイド部までが容易に振れてしまう等の問題があり、ここに本発明が解決しようとする課題があった。
【０００４】
【課題を解決するための手段】
本発明は、上記の如き実情に鑑み、これらの課題を解決することを目的として創作されたものであって、躯体側に固定される下地枠部と、シャッターカーテンを嵌合案内するガイド部とを、互いの対向面に間口幅方向内外に形成される一対の取付け片同志のうちの一方同志を係止し、他方同志を固定してなるシャッターカーテンのガイドレールにおいて、前記下地枠部の係止側取付け片には、他方側を向いて突出しかつガイド部とは逆の屋内側を向くように傾斜した抜止め片が形成され、ガイド部の係止側取付け片には、前記抜止め片を内嵌して、係止側取付け片同志の抜止めをする傾斜状の抜止め凹部が形成されているものである。
そして、このようにすることにより、ガイド部は下地枠部から抜止めされるようにして固定することができる。
このものにおいて、本発明の抜止め凹部の溝幅は、抜止め片の肉厚よりも幅広に形成され、下地枠部の係止側取付け片には、抜止め片と抜止め凹部との屋内側面同志が当接した状態で、抜止め凹部の屋外側溝側片に当接して係止姿勢にするための突部が形成されているものとすることができ、下地枠部に対し屋内外方向に対向させた状態でガイド部を取付けることができる。
さらに、このものにおいて、本発明の突部には、抜止め凹部の開口に抜止め片を内嵌して係止するときにガイド部を係止姿勢側に移動案内する案内面が形成されているものとすることができる。
また、このものにおいて、本発明の抜止め凹部の溝幅は、抜止め片の肉厚よりも幅広に形成され、抜止め片の先端部には、抜止め片と抜止め凹部との屋内側面同志が当接した状態で、抜止め凹部の屋外側溝側片に当接する突部が形成されているものとすることができる。
さらにこのものにおいて、本発明のガイド部を下地枠部に係止させる過程で、抜止め片の屋内側面と抜止め凹部とのあいだには、抜止め凹部に抜止め片を内嵌して係止するための取付けスペースが形成されているものとすることができる。また、このものにおいて、本発明の抜止め凹部を構成する一対の溝側片は、互いに平行状、または開口側ほど溝幅が広くなるように形成されているものとすることができる。
【０００５】
【発明の実施の形態】
次に、本発明の第一の実施の形態について図１〜図３の図面に基づいて説明する。
図面において、１は開口部を開閉するシャッターカーテンであって、該シャッターカーテン１は複数のスラット１ａを上下方向に連結することで構成されている。これら各スラット１ａの屋外側スラット面には、左右両側縁部に位置して屋内側に陥没する凹部１ｂそれぞれ形成されており、凹部１ｂ形成部位を後述するガイドレール２に抜止め状に嵌合せしめることで、シャッターカーテン1はガイドレール２の長手方向の移動案内を受けた状態で開口部の開閉を行うように設定されている。
【０００６】
前記ガイドレール２は躯体開口部の左右側部に立設されており、躯体側に取付けられる下地枠部３と、該下地枠部３の屋外側に取付けられ、シャッターカーテン１量側縁部の凹部１ｂを嵌合するガイド溝４ａが形成されたガイド部４とで構成されている。
前記下地枠部３は、躯体側に固定される固定片３ａと、該固定片３ａの左右両端部から屋外側に突出し、開口部の間口幅方向内外に並列する状態の一対の取付け片３ｂ、３ｃとが形成されているが、間口幅方向内側の取付け片３ｂの先端部には、ビス受け部３ｄが形成されている。一方、間口幅方向外側の取付け片３ｂの先端部には、間口幅方向内側を向いて突出し、かつ屋内側方向、つまり躯体側方向を向くように傾斜した抜止め片３ｅが折曲形成されている。さらに、取付け片３ｂの先端部には、抜止め片３ｅの折曲部よりもガイド部４側に突出する状態で突部３ｆが形成されている。
【０００７】
一方、ガイド部４は、一対の屋内外側片４ｂ、４ｃとのあいだに屋内側が開口するガイド溝４ａが形成されたものになっており、屋内側片４ｂの屋内側面からは、下地枠部３側、つまり屋内側に突出し、開口部の間口幅方向内外に並列する状態の一対の取付け片４ｄ、４ｅとが形成されている。そして、これら取付け片４ｄ、４ｅのうち、間口幅方向内側の取付け片４ｄは下地枠部ビス受け部３ｄに間口幅方向内側から突当てられて螺子止めするための固定片４ｄに形成され、間口幅方向外側の取付け片４ｅは、前記抜止め片３ｅを内嵌する抜止め凹部４ｅに形成されている。
【０００８】
前記抜止め凹部４ｅは、抜止め片３ｅの傾斜方向に合わせて溝底側が間口幅方向内側を向いて突出し、かつ屋内側方向、つまりガイド部４側を向くように傾斜して形成されている。また、屋内外一対の溝側片４ｆ、４ｇは互いに平行で、かつ、屋内側溝側片４ｆは屋外側溝側片４ｇよりも短く形成されている。
さらに、抜止め凹部４ｅの溝幅Ｗは、前記抜止め片３ｅの肉厚Ｔよりも幅広（Ｗ＞Ｔ）に設定されていると共に、溝深さＤ（屋内側溝側片４ｆの長さ）は、後述するように、ガイド部４を下地枠部３に取付けてガイド部４が係止姿勢になった状態で、抜止め片３ｅの先端部が溝底片４ｈに近接あるいは当接するよう、抜止め片３ｅの長さＬと略同寸法となる（Ｄ＝Ｌ）ように寸法設定されている。
そして、ガイド部４は、下地枠部３に取付けられて抜止め片３ｅの屋内側面が抜止め凹部４ｅの屋内側溝側片４ｆに当接し、抜止め片３ｅの基端部（取付け片３ｃ先端部に形成された突部３ｆの先端）の屋外側面が屋外側溝側片４ｇの開口部Cに当接し、抜止め片３ｅ先端部が溝底片４ｈに当接する係止姿勢となることで、下地枠部ビス受け部３ｄにガイド部固定片４ｄが当接して下地枠部３との固定が可能な状態となるように設定されている。さらに、前記係止姿勢になることで、前述したように抜止め凹部４ｅの内面は、それぞれ抜止め片３ｅの先端部、屋内側面、基端部屋外側面に当接しており、これによって、ガイド部４は、抜止め凹部４ｅが抜止め片３ｅに対してガタつくことなく安定した状態となるように設定されている。
尚、前記ガイド部４の係止姿勢において、外側取付け片３ｃとガイド部４の外側片（ガイド溝４ａの溝底部）４ｉとは略面一状になるように寸法設定されている。さらに、４ｊは屋内外側片４ｂ、４ｃの先端部に溝内側に向けて突出形成され、シャッターカーテン1の側縁部を抜止めすると共に、スラット１ａの保護用のモヘヤを収容するためのをするモヘヤ収容部である。
【０００９】
次に、躯体側に固定された下地枠部３に対し、ガイド部４を係止姿勢に取付ける手順について図３の図面に基づいて説明する。
躯体側に固定された下地枠部３に対し、ガイド部４の間口幅方向外側部位を下地枠部３の内外側取付け片３ｂ、３ｃのあいだに押し込み、ガイド部屋内側片４ｂを下地枠部ビス受け部３ｄ先端に当接させ（突き当て）る一方、抜止め凹部４ｅの屋外側開口端部（以降、抜止め凹部開口端部）Ｃを抜止め片３ｅの屋外側面に当接支持させる（図３（Ａ））。このとき、抜止め凹部４ｅの屋内側溝側片４ｆの先端は、ガイド部外側片４ｉよりも間口幅方向内側に位置するように形成されていて、抜止め片３ｅの先端側に抜止め凹部開口端部Ｃを支持させることができる。この状態から、ガイド部４を間口幅方向外側にスライド移動させつつ、間口幅方向外側部位を内側部位を支点として屋外側に向けて回転移動させ（図３（Ｂ））ることで、抜止め片３ｅに抜止め凹部４ｅが次第に外嵌されるが、該移動は、抜止め凹部開口端部Ｃが抜止め片３ｅの屋外側面に摺動する状態（支持状態のまま）で行うことによって、安定した移動作動とすることができる。このガイド部４の取付け作動の過程で、抜止め凹部４ｅの屋内側溝側片４ｆと抜止め片３ｅの屋内側面とのあいだには隙間Ｓが形成されるが、該隙間Ｓが、抜止め凹部４ｅに抜止め片３ｅを外嵌するためのスペース（取付け代）として機能するように設定されている。
【００１０】
この状態から、ガイド部４の抜止め凹部開口端部Ｃが抜止め片３ｅの基端部となる突部３ｆに至る（図３（Ｃ））と、ガイド部４は、抜止め凹部開口端部Cが突部３ｆの間口幅方向内側面に形成される傾斜状の案内面３ｇに支持される。そして、抜止め凹部開口端部Cは屋外側に突出する案内面３ｇに沿って移動することで、ガイド部４を屋外側に押しやり、これによって、抜止め凹部４ｅの屋内側溝側片４ｆと抜止め片３ｅの屋内側面とが当接し、抜止め凹部開口端部Ｃが突部案内面３ｇの屋外側先端（突部３ｆ先端）に当接して支持枠部外側取付け片３ｃとガイド部外側片４ｉとが略面一となる係止姿勢（図３（Ｄ））となり、このようにして、ガイド部４は、抜止め凹部４ｅが抜止め片３ｅに対して屋内外方向に移動規制される状態で下地枠部３に取付けられる設定となっている。
尚、この状態になると、抜止め凹部溝底片４ｈに抜止め片３ｅの先端部が当接している一方、下地枠部３のビス受け部３ｄとガイド部４の固定片４ｄとが当接していて、ガイド部４が間口幅方向外側に移動してしまうことはなく、この状態で、ビス受け部３ｄと固定片４ｄとを、間口高さ方向所定間隔を存してビス５を用いて螺合することで、下地枠部３とガイド部４との固定がなされてガイドレール２が構成されるように設定されている。
【００１１】
叙述の如く構成された本発明の実施の形態において、ガイドレール２は躯体側に固定された下地枠部３に対してガイド部４を固定（連結）することで構成されるが、下地枠部３とガイド部４との連結固定は、間口幅方向外側に形成されたガイド部４側の抜止め凹溝４ｅに、下地枠部３側の抜止め片３ｅを内嵌することで係止した後、間口幅方向内側のビス受け部３ｄと固定片４ｄとをビス５を用いて螺合することでなされる。この場合に、下地枠部３とガイド部４との間口幅方向外側に形成される抜止め片３ｅと抜止め凹溝４ｅとは、両者とも間口幅方向内側を向いて突出し、かつ屋内側方向、つまりガイド部４側を向くように傾斜して形成されている。このため、ガイド部４に嵌合されるシャッターカーテン1が強風等により煽られて撓んで、ガイド部４が間口幅方向内側および屋外側方向に向けて抜出すように負荷が作用した場合に、ガイド部４は、傾斜状の抜止め凹部屋内側溝側面４ｆが抜止め片３ｅの屋内側面に係合する状態で係止作動を受けることになって、前記各方向への抜出しが規制される。この結果、ガイド部４が下地枠部３から抜出してしまうような不具合がなくなって、信頼性の高いガイドレール２とすることができる。
【００１２】
さらにこのものでは、抜止め凹部４ｅの溝幅Ｗは、前記抜止め片３ｅの肉厚Ｔよりも幅広（Ｗ＞Ｔ）になっているため、ガイド部４を下地枠部３に取付ける場合に、抜止め凹部４ｅと抜止め片３ｅとのあいだに形成される隙間を取付け代として利用してガイド部４を移動させることができ、これによって、長尺状のガイド部４と下地枠部３とを互いに対向状に突き合せるようにして固定できる。
しかもこの場合に、ガイド部４の下地枠部３への取付け作動は、抜止め片３ｅの屋外側面および突部案内面３ｇに沿って抜止め凹部開口端部Ｃを摺動させながらの移動で行うことができ、取付け作動がやりやすいうえ、確実な取付け作動を行うことができる。
【００１３】
しかもこのものでは、抜止め凹部４ｅの溝幅Ｗが、前記抜止め片３ｅの肉厚Ｔよりも幅広（Ｗ＞Ｔ）になっていたとしても、ガイド部４が抜止め凹部４ｅに抜止め片３ｅを内嵌して係止姿勢となったとき、抜止め凹部４ｅの屋内外側溝側片４ｇ、４ｈの各面部に抜止め片３ｅの屋内側面及び突部３ｆの先端部が当接する構成となっているため、抜止め凹部４ｅ内で抜止め片３ｅが屋内外方向に移動してしまうことがなく、ガイド部４は下地枠部３に対して安定した状態で取付けることができ、シャッターカーテン１が屋内外方向に振れたとようなときに、この負荷を受けてガイド部までが振れてしまうような不具合がない。
【００１４】
次に、第二の実施の形態について図４、５の図面に基づいて説明する。
このものにおいて、ガイド部６のガイド溝６ａは間口幅方向内側に位置して形成されている。そして、前記ガイド溝６ａの溝底片外側にさらに外側片６ｂが形成される構成となっており、該外側片６ｂの屋内側端部に抜止め凹部６ｃが形成されている。この抜止め凹部６ｃは、溝長深さＤ（屋内側溝側片６ｄの長さ）は前記第一の実施の形態と同様であるが、屋外側溝側片６ｅが長く形成されて、外側片６ｂに対する抜止め凹部溝底片６ｆ位置が前記第一の実施の形態よりも内側に位置するように設定されている。
一方、下地枠部７の間口幅方向外側の取付け片７ａは、前記ガイド部外側片６ｂと略面一状となるように形成され、外側取付け片７ａに形成される抜止め片７ｂは、ガイド部６の係止姿勢で先端が抜止め凹部溝底片６ｆに当接するべく、抜止め片７ｂと取付け片７ａとのあいだに間口幅方向内側に直角状に伸長した延出部７ｂが形成されている。さらに、取付け片７ａの先端部には突部７ｄが形成されるが、本実施の形態の突部７ｄは屋外側に長く形成され、ガイド部６が係止姿勢となって取付けられたとき、突部７ｄの先端がガイド部外側片６ｂの屋内側端部に当接するように設定され、さらに、突部７ｄの間口幅方向内側面には、傾斜状の案内面７ｅが形成されている。尚、抜止め片７ｃの肉厚と抜止め凹部６ｃの溝幅との関係は、前記第一の実施の形態と同様である。
【００１５】
このように形成された下地枠部７を躯体側に固定し、該下地枠部７にガイド部６を取付ける場合に、ガイド部内側片６ｇ先端を下地枠部ビス受け部７ｆ近傍の枠部材７ｇに突当てる一方、抜止め片７ｂの屋外側面に、抜止め凹部６ｃの屋外側溝側片６ｅの開口側内面を当接支持させる（図５（Ａ））。この状態から、前記屋外側溝側片６ｅを抜止め片７ｂの屋外側面に摺動させながら、ガイド部６を間口幅方向外側にスライド移動させつつ、間口幅方向外側部位を屋外側に向けて回転移動させると、抜止め片７ｂは次第に抜止め凹部６ｃに内嵌されると共に、抜止め凹部屋外側溝側片６ｅと外側片６ｂとのコーナー部Ｇが下地枠部７側の突部７ｄのガイド面７ｅに当接支持され（図５（Ｂ））、これ以降、ガイド部６はコーナー部Ｇがガイド面７ｅによる案内を受けながらの移動を続ける（図５（Ｃ）、（Ｄ））。因みに、前記取付け作動の過程で、抜止め片７ｂの屋内側面と抜止め凹部６ｃの屋内側溝側片６ｄとのあいだにスペースＳが形成され、該スペースＳが、ガイド部６を取付けるときの取付け代となっていることは、前記第一の実施の形態と同様である。
【００１６】
この状態で、さらにガイド部６を移動させ、コーナー部Ｇが突部７ｄの先端に当接し、下地枠部外側取付け片７ａとガイド部外側片６ｂとが面一状になると共に、抜止め片７ｂの先端部が抜止め凹部６ｃの溝底片６ｆに当接し、これによってガイド部６は係止姿勢となる（図５（Ｅ））ように設定されている。そしてこのものでも、ガイド部６が下地枠部７から抜出してしまうような不具合がなく、信頼性の高いガイドレール２とすることができるうえ、ガイド部６は前記係止姿勢となることで、傾斜状の抜止め片部７ｂが抜止め凹部６ｃに係止してガイド部６の屋内外方向の移動が規制されて、シャッターカーテン1の安定した開閉作動を提供できる。
【００１７】
続いて、第三の実施の形態について図６、７の図面に基づいて説明する。
このものは、下地枠部８に形成される抜止め片８ａの先端部に、屋外側に向けて突出する突部８ｂが形成されている。一方、ガイド部６は、前記第二の実施の形態と同様のガイド部６が使用されており、これによって、取付け箇所に対応して形成された形状の異なる下地枠部に対して共通のガイド部６を用いることで部材の兼用化が計れるようになっている。尚、抜止め片８ａの肉厚と抜止め凹部６ｃの溝幅との関係は前記第一の実施の形態と同様である。
このものの取付け手順は、下地枠部８を躯体側に固定し、ガイド部内側片６ｇの先端を、下地枠部ビス受け部８ｃ近傍の枠部材８ｄに突当てる一方、抜止め片８ａの先端部に抜止め凹部６ｃの屋内側片６ｄ先端部とを、間口幅方向に突き合せ状に対向させる（図７（Ａ））。そして、抜止め片８ａを抜止め凹部６ｃに嵌め込むが、このとき、突部８ｂの屋外側面と、抜止め片８ａの基端部と間口幅方向外側の取付け片８ｅ先端部とのコーナー部Ｒとを、抜止め凹部６ｃの屋外側溝側片６ｅに突当てる（図７（Ｂ））ようにすることで、ガイド部６の移動におけるガイド（二点支持）がなされるようになっている。このとき、抜止め片８ａの屋内側面と抜止め凹部６ｃの屋内側溝側片６ｄとのあいだには僅かな隙間が形成されるよう寸法設定されている。
【００１８】
そして、この状態でガイド部６を、間口幅方向外側にスライド移動させつつ間口幅方向外側部位を屋外側に向けて移動させることで、抜止め片８ａが次第に抜止め凹部６ｃに内嵌され（（図７（Ｃ）、（Ｄ））、突部８ｂの先端部が抜止め凹部６ｃの溝底片６ｆに達し、コーナー部Ｒを、抜止め凹部６ｃの屋外側溝側片６ｅから離間させる（図７（Ｅ））ことで、ガイド部６は係止姿勢となるように設定されている。この係止姿勢において、ガイド部６は、抜止め片８ａの先端部屋内側面が抜止め凹部６ｃの屋内側溝側片６ｄに当接し、突部８ｂの屋外側面が抜止め凹部６ｃの屋外側溝側片６ｅの内面に当接しており、これによって、ガイド部６の屋内外方向への移動規制がなされるように設定されている。因みに、ガイド部６の取付けの過程で、抜止め凹部６ｃの屋外側溝側片６ｅを下地枠部８側の突部８ｂ屋外側面と、コーナー部Ｒとに突き当てることで、抜止め凹部屋内側溝側片６ｄと抜止め片８ｂとのあいだに隙間が形成され、該隙間Ｓがガイド部６の取付け代となっている。
そしてこのものでも、ガイド部６が下地枠部８から抜出してしまうような不具合がなく、信頼性の高いガイドレール２とすることができるうえ、ガイド部６は前記係止姿勢となることで、傾斜状の抜止め片部８ａが抜止め凹部６ｃに係止してガイド部６の屋内外方向の移動が規制されて、シャッターカーテン1の安定した開閉作動を提供できる。
【００１９】
さらに、抜止め凹部は屋内外方向および間口幅方向に対して傾斜状に形成されていればよく、その溝幅は、前記各実施の形態のもののように、対向する一対の溝側片同志が互いに平行状になって溝幅が溝開口から溝底に至るまで一定になるように形成されたものに限定されることはなく、図８に示す第四の実施の形態のように構成することもできる。つまり、このものは、ガイド部９に形成される抜止め凹部９ａが傾斜状に形成されることは前記実施の形態と同様であるが、抜止め凹部９ａに形成される屋内外一対の溝側片９ｂ、９ｃ同志が開口側ほど溝幅が広くなるよう傾斜角度が異なる状態で形成されている。この場合では、下地枠部１０側に形成される抜止め片１０ａの傾斜は抜止め凹部９ａの屋内外側溝側片９ｂ、９ｃの傾斜の中間の傾斜に設定されている。そして、ガイド部９の係止姿勢では、抜止め片１０ａの屋内側面の一部が抜止め凹部９ａの屋内側溝側片９ｂに当接し、抜止め片１０ａの先端部が抜止め凹部９ａの溝底片９ｄに当接し、下地枠部外側取付け片１０ｂの先端に形成の突部１０ｃの屋外側先端が、抜け止め凹部９ａの屋外側溝側片９ｃ基端部に当接するようになっている。尚、本実施の形態の下地枠部１０に対するガイド部１０の組込みは、前記第二の実施の形態と同様に行うことができる。
そして、このものにおいても、前記各実施の形態と同様に、ガイド部の下地枠部からの抜出しが防止されると共に、ガイド部の安定性の向上等を計ることができる。
【図面の簡単な説明】
【図１】シャッターカーテンの撓みを説明するシャッター装置の平面図である。
【図２】図２（Ａ）、（Ｂ）はそれぞれガイドレールの平面図、要部の拡大平面図である。
【図３】図３（Ａ）、（Ｂ）、（Ｃ）、（Ｄ）はそれぞれ下地枠部とガイド部との取付け状態を説明する平面図である。
【図４】図４（Ａ）、（Ｂ）はそれぞれ第二の実施の形態を示すガイドレールの平面図、要部の拡大平面図である。
【図５】図５（Ａ）、（Ｂ）、（Ｃ）、（Ｄ）、（Ｅ）はそれぞれ第二の実施の形態を示す下地枠部とガイド部との取付け状態を説明する平面図である。
【図６】図６（Ａ）、（Ｂ）はそれぞれ第三の実施の形態を示すガイドレールの平面図、要部の拡大平面図である。
【図７】図７（Ａ）、（Ｂ）、（Ｃ）、（Ｄ）、（Ｅ）はそれぞれ第三の実施の形態を示す下地枠部とガイド部との取付け状態を説明する平面図である。
【図８】第三の実施の形態を示すガイドレールの要部の拡大平面図である。
【図９】従来例を示すガイドレールの平面図である。
【符号の説明】
１    シャッターカーテン
２    ガイドレール
３    下地枠部
３ｅ    抜止め片
３ｆ    突部
３ｇ    案内面
４    ガイド部
４ａ    ガイド溝
４ｅ    抜止め凹部
４ｆ    屋内側溝側片
４ｈ    溝底片
５    ビス
【図１】
0003726184.tif 000002
【図２】
0003726184.tif 000003
【図３】
0003726184.tif 000004
【図４】
0003726184.tif 000005
【図５】
0003726184.tif 000006
【図６】
0003726184.tif 000007
【図７】
0003726184.tif 000008
【図８】
0003726184.tif 000009
【図９】
0003726184.tif 000010